(57)【要約】【課題】被写体が無限遠にあるとされる場合において、フォーカスレンズを最適な合焦位置に設定する。【解決手段】フォーカスレンズによって結像された被写体像を受光して電気信号に変換する撮像手段１０３と、フォーカスレンズが走査範囲を駆動される間、測距領域に対応する前記撮像手段の受光面で光電変換される信号の高周波成分を示す信号を抽出する抽出手段１１０，１１１と、高周波成分を示す信号よりフォーカスレンズの合焦状態を検出し、合焦位置にフォーカスレンズを駆動させる合焦制御手段１１２，１１３とを有し、被写体が無限遠にあるとされる場合には、高周波成分を示す信号を抽出する際のフォーカスレンズの走査範囲を限定して合焦状態を検出し、合焦位置が得られた場合には、該合焦位置にフォーカスレンズを駆動するとともに、撮影ごとの合焦位置を記憶するようにしている。【選択図】図１
2009069739.tif 000002
【特許請求の範囲】
【請求項１】
被写体像の焦点調節を行うフォーカスレンズと、
前記フォーカスレンズを駆動する駆動手段と、
前記フォーカスレンズによって結像された被写体像を受光して電気信号に変換する撮像手段と、
前記フォーカスレンズが走査範囲を駆動される間、測距領域に対応する前記撮像手段の受光面で光電変換される信号の高周波成分を示す信号を抽出する抽出手段と、
前記高周波成分を示す信号より前記フォーカスレンズの合焦状態を検出し、合焦位置に前記フォーカスレンズを駆動させる合焦制御手段とを有し、
被写体が無限遠にあるとされる場合には、前記高周波成分を示す信号を抽出する際の前記フォーカスレンズの走査範囲を限定して前記合焦状態を検出し、合焦位置が得られた場合には、該合焦位置に前記フォーカスレンズを駆動するとともに、撮影ごとの合焦位置を記憶することを特徴とする撮像装置。
【請求項２】
前記合焦位置が得られなかった場合には、過去複数回の無限遠での合焦位置のうち、最も遠い合焦位置を前記合焦位置とし、該合焦位置に前記フォーカスレンズを駆動することを特徴とする請求項１に記載の撮像装置。
【請求項３】
前記合焦信号が得られなかった場合には、過去複数回の無限遠での合焦位置から限定された前記フォーカスレンズの走査範囲内での平均を求めて、該平均位置を前記合焦位置とし、該合焦位置に前記フォーカスレンズを駆動することを特徴とする請求項１に記載の撮像装置。
【請求項４】
前記合焦信号が得られなかった場合には、過去複数回の無限遠での合焦位置から無限遠に対応する前記フォーカスレンズの位置を統計的に求め、該位置を前記合焦位置とし、該合焦位置に前記フォーカスレンズを駆動することを特徴とする請求項１に記載の撮像装置。
【請求項５】
前記被写体が無限遠にあるとされる場合とは、無限遠を撮影するための特定シーンモードが設定された場合であることを特徴とする請求項１ないし４のいずれかに記載の撮像装置。
【請求項６】
前記被写体が無限遠にあるとされる場合とは、マニュアル操作により被写体距離が無限遠に設定される場合であることを特徴とする請求項１ないし４のいずれかに記載の撮像装置。
【請求項７】
前記合焦信号が得られた場合の前記撮影ごとの合焦位置の記憶を、一定の時間経過もしくは一定の温度変化でリセットすることを特徴とする請求項１に記載の撮像装置。
【請求項８】
前記フォーカスレンズの走査範囲の限定は、当該撮像装置のズームポジションと絞り値の少なくとも一方に応じて設定されることを特徴とする請求項１ないし７のいずれかに記載の撮像装置。
【発明の詳細な説明】
【技術分野】
【０００１】
本発明は、自動焦点検出機能を備えたデジタルカメラやビデオカメラ等の撮像装置に関する。
【背景技術】
【０００２】
従来より、デジタルカメラやビデオカメラなどでは、ＣＣＤなどの撮像素子から得られる輝度信号の高周波成分を信号処理し、合焦動作を行う自動焦点検出装置が用いられている（特許文献１等）。
【０００３】
このような自動焦点検出装置が用いられる撮像装置において、打ち上げ花火のような、被写体距離が無限遠である特定のシーンを撮影するための特定シーンモードを備えているものがある。このような場合、その特定シーンモードが設定されると、あらかじめ調節された、被写体距離が無限遠の無限遠定点調節値にフォーカスレンズを駆動し、撮影が行われる。
【０００４】
また、マニュアルフォーカスにおいて、被写体距離を無限遠とする場合にも、無限遠定点調節値にフォーカスレンズを駆動し、撮影が行われる。
【特許文献１】特開２００２−１２２７７３号公報
【発明の開示】
【発明が解決しようとする課題】
【０００５】
上記従来例では次のような問題点があった。被写体が無限遠にあるとされる特定シーンモードまたはマニュアルフォーカスにおいては、無限遠定点調節値に焦点位置を設定すればよい。しかしながら、調節不良、装置の経時変化等で、無限遠定点調節値が実際の無限遠と異なる場合には、焦点ずれを起こすことがあった。
【０００６】
（発明の目的）
本発明の目的は、被写体が無限遠にあるとされる場合において、フォーカスレンズを最適な合焦位置に設定することのできる撮像装置を提供しようとするものである。
【課題を解決するための手段】
【０００７】
上記目的を達成するために、本発明は、被写体像の焦点調節を行うフォーカスレンズと、前記フォーカスレンズを駆動する駆動手段と、前記フォーカスレンズによって結像された被写体像を受光して電気信号に変換する撮像手段と、前記フォーカスレンズが走査範囲を駆動される間、測距領域に対応する前記撮像手段の受光面で光電変換される信号の高周波成分を示す信号を抽出する抽出手段と、前記高周波成分を示す信号より前記フォーカスレンズの合焦状態を検出し、合焦位置に前記フォーカスレンズを駆動させる合焦制御手段とを有し、被写体が無限遠にあるとされる場合には、前記高周波成分を示す信号を抽出する際の前記フォーカスレンズの走査範囲を限定して前記合焦状態を検出し、合焦位置が得られた場合には、該合焦位置に前記フォーカスレンズを駆動するとともに、撮影ごとの合焦位置を記憶する撮像装置とするものである。
【発明の効果】
【０００８】
本発明によれば、被写体が無限遠にあるとされる場合において、フォーカスレンズを最適な合焦位置に設定することができる撮像装置を提供できるものである。
【発明を実施するための最良の形態】
【０００９】
本発明を実施するための最良の形態は、以下の実施例に示す通りである。
【実施例】
【００１０】
図１は本発明の一実施例に係わる撮像装置を示す構成図である。図１において、撮像装置は、画像を撮像する撮像レンズ１０１、被写体像の焦点調節を行うフォーカスレンズ１０２、撮像レンズ１０１によって結像された被写体像を受光して電気信号に変換する撮像素子１０３を有する。さらに、撮像素子１０３からのアナログ信号をデジタル信号にするＡ／Ｄ変換器１０４、Ａ／Ｄ変換器１０４にてデジタル信号に変換された画像を表示する電子ファインダ１０５、デジタル化された画像を一時的に保存する画像メモリ１０６を有する。さらに、ホワイトバランス等の画像処理を行う画像処理部１０７、最終的に形成された画像を記録する画像記録部１０８、撮像レンズ１０１のズーム位置および絞り値を検出する検出部１０９を有する。さらに、撮像画面上の測距領域（オートフォーカス領域）に対応する撮像素子１０３の受光面にて光電変換される信号を抽出する第１抽出部１１０、該第１抽出部１１０にて抽出された信号の高周波成分を示す信号を抽出する第２抽出部１１１を有する。さらに、第２抽出部１１１からの抽出信号に対応する合焦位置を検出する合焦位置検出部１１２、フォーカスレンズ１０２の駆動を制御する制御部１１３を有する。さらには、計算記憶部１１４およびフォーカスレンズ制御部１１３により制御されるフォーカスレンズ駆動部１１５を有する。
【００１１】
ここで、特性シーンモード設定部（不図示）により被写体が無限遠にあると設定されている打ち上げ花火等の特定シーンモードが設定されたとする。この場合、絞り値およびシャッタスピードを制御する不図示の制御部とフォーカスレンズ制御部１１３により、特定シーンモードのズーム位置に対応した、絞り値、シャッタスピード、フォーカスレンズ１０２の位置と制御範囲（合焦位置スキャン範囲）が設定される。計算記憶部１１４は、特定シーンモードに設定された場合のフォーカスレンズ１０２の合焦位置を記憶し、合焦位置検出部１１２からの信号より被写体が無限遠である場合の記憶値定点を算出する。
【００１２】
フォーカスレンズ制御部１１３は、合焦位置検出部１１２での検出情報、ズーム位置や絞り値を検出する検出部１０９での検出情報および計算記憶部１１４での記憶値定点に基づいて、フォーカスレンズ駆動部１１５によりフォーカスレンズ１０２を駆動する。これにより、被写体に対するフォーカスレンズ１０２の合焦位置を最適に調節することができる。
【００１３】
次に、実際に合焦位置調節を行う手順について、図２のフローチャートを用いて説明する。
【００１４】
撮像装置の不図示の電源スイッチがＯＮされた後、打ち上げ花火等の被写体が無限遠にあるような特定のシーンを撮影するための特定シーンモードが不図示の特性シーンモード設定部により設定されたとする。この場合、まず、ステップ＃２０１にて、特定シーンモードに設定されてから所定回数（Ｍ回）合焦したか否かを判定する。所定回数合焦していれば後述のステップ＃２１１へ進むが、所定回数未満であった場合はステップ＃２０２へ進み、ここでは特定シーンモードによる撮影が所定のリセット回数（Ｂ回）、リセット（図３にて後述）されたか否かを判定する。所定のリセット回数リセットされていた場合は後述のステップ＃２１０へ進むが、所定のリセット回数以下の場合はステップ＃２０３へ進み、ここでは合焦位置スキャン範囲（高周波成分を示す信号を抽出するためのフォーカスレンズ走査範囲）を限定する。合焦位置スキャン範囲は、特定シーンモードの被写体距離が無限遠であるので、無限遠近傍のみとなる。
【００１５】
次のステップ＃２０４では、スイッチＳＷ１がＯＮされているか否かを判定し、ＯＮされていなければステップ＃２０１に戻るが、ＯＮされている場合にはステップ＃２０５へ進み、上記限定された合焦位置スキャン範囲において合焦位置スキャンを行う。そして、次のステップ＃２０６にて、合焦位置スキャンの結果、合焦位置信号が得られたか否かを判定する。ここで、合焦位置信号が得られた場合は後述のステップ＃２１２へ進む。しかし、合焦位置が得られなかった場合にはステップ＃２０７へ進む。そして、ここでは予め計算記憶部１１２に記憶されている、詳しくは後述の図４もしくは図５の処理時に記憶される記憶値定点にフォーカスレンズ１０２を移動させ、その位置をメモリに記憶する。
【００１６】
次のステップ＃２０８では、スイッチＳＷ２がＯＮされているか否かを判定し、ＯＮされていればステップ＃２１４へ進み、撮影動作を行う。スイッチＳＷ２がＯＮされていなければステップ＃２０９へ進み、スイッチＳＷ１の状態を判定し、該スイッチＳＷ１がＯＦＦであればステップ＃２０１に戻る。一方、スイッチＳＷ２がＯＮのままであればフォーカスレンズ１０２の位置を保持したままスイッチＳＷ１の状態を判定するステップ＃２０８へ戻る。
【００１７】
上記ステップ＃２０１において、過去に特定シーンモードによる撮影時に所定回数（Ｍ回）合焦していたと判定した場合は上記したようにステップ＃２１１へ進む。そして、このステップ＃２１１では、統計的に十分なデータ量が蓄積されたとして過去の合焦位置の平均値を算出し、記憶して、過去の合焦位置の平均値へフォーカスレンズ１０２を移動させる。その後はステップ＃２０８へ進む。
【００１８】
上記ステップ＃２０２にて、特定シーンモードによる撮影が所定のリセット回数（Ｂ回）だけリセットされたと判定した場合は上記したようにステップ＃２１０へ進む。そして、このステップ＃２１０では、過去に信頼性のある無限遠に対する記憶値定点を記憶しているとして、該記憶値定点にフォーカスレンズ１０２を移動させる。その後はステップ＃２０８へ進む。
【００１９】
上記ステップ＃２０５にて限定された合焦位置スキャン範囲において合焦位置スキャンを行い、次のステップ＃２０６にて、合焦位置信号が得られたと判定した場合は上記したようにステップ＃２１２へ進む。そして、このステップ＃２１２では、合焦信号が予め調節された無限遠に対して一定値（±ＸＸ）内にあるか否かを判定する。この結果、一定値内にあると判定した場合はステップ＃２１３へ進み、合焦位置検出が無限遠に対して誤差が少ないとしてその位置を記憶し、合焦回数をカウントアップ（Ｍ＝Ｍ＋１）する。そして、ステップ＃２０８へ進む。一方、一定値内にないと判定した場合には、合焦位置が無限遠に対して誤差が大きいとして、無限遠としての合焦位置は記憶せずにステップ＃２０８へ進む。
【００２０】
次に、記憶値定点のリセットの手順について、図３のフローチャートで述べる。なお、この動作は図２のステップ＃２０１の前に行われ、経時変化等による無限遠位置のずれをキャンセルするためのものである。
【００２１】
撮像装置の電源の状態を調べ、電源がＯＦＦであればステップ＃３０４へ進むが、ＯＮであればステップ＃３０２へ進み、ここでは一定時間が経過したか否かを判定する。一定時間が経過していればステップ＃３０４へ進むが、一定時間経過していなければステップ＃３０３へ進み、ここでは温度変化が一定値以上あるか否かを判定する。温度変化が一定値以上ある場合はステップ＃３０４へ進むが、温度変化が一定値以上ない場合は、無限遠の位置の時間、温度による記憶値定点の変化は発生していないとしてリセットは行わず、リセット動作を終了する。
【００２２】
撮像装置の電源がＯＦＦ（＃３０１のＹＥＳ）、または電源がＯＮ、かつ、一定時間が経過している（＃３０２のＹＥＳ）、もしくは温度変化が一定値以上であった場合（＃３０３のＹＥＳ）には、上記したようにステップ＃３０４へ進む。ステップ＃３０４では、無限遠の記憶値定点位置が変化している可能性がある（機械的な位置ドリフトが生じ、電気的な記憶値との差が生じるため）ので、過去の合焦回数を０（Ｍ＝０）にリセットする。そして、次のステップ＃３０５にて、そのときのフォーカスレンズ１０２の位置を記憶し、続くステップ＃３０６にて、リセットカウンタを加算（＋１）する。
【００２３】
次のステップ＃３０７では、リセットカウンタの値が一定値を超えているか否かを判定し、一定値を超えていればステップ＃３０８へ進む。そして、このステップ＃３０８では、十分な無限遠の記憶値定点の量が得られているとして、過去のリセット時のフォーカスレンズ１０２の位置の平均値を算出し、記憶値定点とする。そして、この記憶値定点リセット動作を終了する。
【００２４】
一方、上記ステップ＃３０７にて、リセットカウンタの値が一定値以下であると判定した場合には、未だ十分な無限遠の記憶値定点の量が得られないとして、フォーカスレンズ１０２の位置の平均値は算出せず、リセット動作を終了する。
【００２５】
次に、記憶値定点の平均値算出について、図４のフローチャートを用いて説明する。なお、この動作は、図２のステップ＃２１１にて行われる。
【００２６】
まず、ステップ＃４０１にて、撮影回数（Ｎ）が０（撮像装置が出荷された後、初めて使用される状態）であるか否かを判定し、０（Ｎ＝０）であればステップ＃４１０へ進み、ここではリセット回数が０であるか否かを判定する。判定の結果、リセット回数が０であればステップ＃４１１へ進み、この場合は撮像装置が始めて使用される場合であるので、該撮像装置の組み立て調節時の調節値を記憶値定点とする。一方、リセット回数が０以外の場合はステップ＃４１２へ進み、撮像装置に過去の測定実績があるので、組み立て調節時の調節値より確からしい前回の記憶値定点を用いる。
【００２７】
上記ステップ＃４０１にて撮影回数（Ｎ）が０より大きい場合はステップ＃４０２へ進み、ここでは撮影回数（Ｎ）が統計的データとして信頼できる例えば１０回等の所定の回数（Ｃ）以下であるか否かを判定する。判定の結果、撮影回数（Ｎ）が所定の回数（Ｃ）以下（Ｎ≦Ｃ）であればステップ＃４０３へ進む。そして、撮影回数ごとのフォーカスレンズ１０２の位置の平均値を算出し、これを記憶値定点とし、次のステップ＃４０４にて、撮影回数のカウンタを加算（Ｎ＝Ｎ＋１）する。
【００２８】
上記ステップ＃４０２にて、撮影回数が所定の回数を超えると判定した場合はステップ＃４０５以降へ進み、統計的な処理が可能なフォーカスレンズ１０２の位置の量が集まったとして、以下のような処理を行う。
【００２９】
つまり、ステップ＃４０５では、撮影時に記憶された被写体距離のうち、最遠、または最近の距離と判定されたものは無限遠に対しての誤差が大きいとして、統計的な処理の対象から外す。そして、次のステップ＃４０６にて、平均値とσ（標準偏差）を算出し、続くステップ＃４０７にて、平均値±σに入らない被写体距離を排除する。そして、次のステップ＃４０８にて、再度、平均値を求め、これを記憶値定点とし、次のステップ＃４０９にて、撮影回数のカウンタを加算（Ｎ＝Ｎ＋１）する。
【００３０】
このように無限遠に対しての誤差が大きい値を排除することで、被写体距離が無限遠の場合のフォーカスレンズ１０２の位置の精度を向上させることができる。
【００３１】
次に、上記した平均値を用いる記憶値定点の算出とは異なる、記憶値定点の算出の他の例を、図５のフローチャートを用いて説明する。
【００３２】
まず、ステップ＃５０１にて、撮影回数（Ｎ）が０であるか否かを判定し、０（Ｎ＝０）であればステップ＃５０７へ進み、ここではリセット回数が０であるか否かを判定する。判定の結果、リセット回数が０であればステップ＃５０８へ進み、この場合は撮像装置が始めて使用される場合であるので、該撮像装置の組み立て調節時の調節値を記憶値定点とする。一方、リセット回数が０以外の場合はステップ＃５０９へ進み、撮像装置に過去の測定実績があるので、組み立て調節時の調節値より確からしい前回の記憶値定点を用いる。
【００３３】
上記ステップ＃５０１にて撮影回数（Ｎ）が０以上より大きい場合はステップ＃５０２へ進み、ここでは撮影回数（Ｎ）が所定の回数（Ｃ）以下であるか否かを判定する。判定の結果、撮影回数（Ｎ）が所定の回数（Ｃ）以下（Ｎ≦Ｃ）であればステップ＃５０３へ進み、撮影回数ごとのフォーカスレンズ１０２の位置の最遠値が無限遠に最も近い値だとして記憶値定点とする。そして、次のステップ＃５０４にて、撮影回数のカウンタを加算（Ｎ＝Ｎ＋１）する。
【００３４】
上記ステップ＃５０２にて、撮影回数が所定の回数（Ｃ）を超えると判定した場合はステップ＃５０５以降へ進み、統計的な処理が可能となるので、以下のような処理を行う。
【００３５】
つまり、ステップ＃５０５にて、撮影時に記憶された被写体距離のうち、最遠のものは統計的な分布の端にあるものとし、精度が低いと予想されるので、最遠から２番目に遠いものを記憶値定点とする。そして、次のステップ＃５０６にて、撮影回数のカウンタを加算（Ｎ＝Ｎ＋１）する。
【００３６】
この場合にも、無限遠に対しての誤差が大きい値を排除しているので、被写体距離が無限遠の場合のフォーカスレンズ１０２の位置の精度を向上させることができる。
【００３７】
なお、図４及び図５で説明した記憶値定点の算出については、撮像装置のズームポジションごと、または、絞り値ごとに行う。このことにより、撮像装置の撮像光学系の特性にあった、無限遠の被写体距離に対するフォーカスレンズ１０２の位置の精度を向上させることができる。
【００３８】
また、このような処理は被写体が無限遠にあるような特定のシーンを撮影するための特定シーンモードに限らず、撮影者がマニュアルで無限遠にフォーカスを調節する場合においても同じ効果を得ることができる。
【００３９】
上記実施例の撮像装置は、被写体像の焦点調節を行うフォーカスレンズ１０２を有する。さらに、フォーカスレンズ１０２が走査範囲を駆動される間、フォーカス駆動部１１５と、フォーカスレンズ１０２によって結像された被写体像を受光して電気信号に変換する撮像素子１０３とを有する。さらに、フォーカスレンズ１０２を駆動しながら、測距領域に対応する撮像素子１０３の受光面で光電変換される信号の高周波成分を示す信号を抽出する第１抽出部１１０および第２抽出部１１１を有する。さらに、高周波成分を示す信号よりフォーカスレンズ１０２の合焦状態を検出し、合焦位置にフォーカスレンズ１０２を駆動する合焦位置検出部１１２、計算記憶部１１４および制御部１１３を有する。
【００４０】
そして、被写体が無限遠にあるとされる場合は、高周波成分を示す信号を抽出する際のフォーカスレンズ１０２の走査範囲（合焦位置スキャン範囲）を限定して合焦状態を検出する。そして、合焦位置が得られた場合には、合焦位置にフォーカスレンズ１０２を駆動するとともに、撮影ごとの合焦位置を記憶するようにしている。
【００４１】
また、本実施例では、合焦位置が得られなかった場合には、過去複数回の無限遠での合焦位置のうち、最も遠い合焦位置をフォーカスレンズ１０２の合焦位置とする（図５のステップ＃５０３）。そして、該合焦位置にフォーカスレンズ１０２を駆動するようにしている。
【００４２】
あるいは、合焦信号が得られなかった場合には、過去複数回の無限遠での合焦位置から、限定されたフォーカスレンズ１０２の走査範囲内での平均を求めて、その平均位置を合焦位置とする（図４のステップ＃４０３）。そして、該合焦位置にフォーカスレンズ１０２を駆動するようにしている。
【００４３】
あるいは、合焦信号が得られなかった場合には、過去複数回の無限遠での合焦位置から無限遠に対応するフォーカスレンズ１０２の位置を統計的に求め、その位置を合焦信位置とする（図４のステップ＃４０５〜＃４０８、図５のステップ＃５０５）。そして、該合焦位置にフォーカスレンズ１０２を駆動するようにしている。
【００４４】
また、本実施例では、合焦信号が得られた場合の前記撮影ごとの複数の合焦位置の記憶を、一定の時間経過もしくは一定の温度変化でリセットする（＃３０２〜＃３０５）ようにしている。
【００４５】
また、本実施例では、フォーカスレンズ１０２の走査範囲の限定は、当該撮像装置のズームポジションと絞り値の少なくとも一方に応じて設定するようにしている。
【００４６】
なお、上記の被写体が無限遠にあるとされる場合とは、無限遠を撮影するための特定シーンモードが設定された場合、もしくは、マニュアル操作により被写体距離が無限遠に設定される場合である。
【００４７】
（本発明と実施例の対応）
フォーカスレンズ１０２が本発明のフォーカスレンズに、フォーカス駆動部１１５が駆動手段に、撮像素子１０３が撮像手段に、第１抽出部１１０および第２抽出部１１１が抽出手段に、それぞれ相当する。また、合焦位置検出部１１２、計算記憶部１１４および制御部１１３が本発明の合焦制御手段に相当する。
【００４８】
以上のような構成の撮像装置とすることにより、被写体が無限遠にあるとされる場合において、フォーカスレンズ１０２を最適な合焦位置に設定することが可能となる。
【図面の簡単な説明】
【００４９】
【図１】本発明の一実施例に係わる撮像装置を示す構成図である。
【図２】本発明の一実施例に係わる撮像装置に係わる被写体が無限遠と設定された場合の合焦位置調節時の動作を示すフローチャートである。
【図３】本発明の一実施例に係わる撮像装置に係わる合焦位置調節での記憶値定点のリセット動作を示すフローチャートである。
【図４】本発明の一実施例に係わる撮像装置に係わる記憶値定点の算出動作を示すフローチャートである。
【図５】図４の記憶値定点の算出とは異なる、他の記憶値定点の算出例について説明するためのフローチャートである。
【符号の説明】
【００５０】
１０１      撮像レンズ
１０２      フォーカスレンズ
１０３      撮像素子
１０９      検出部
１１０      第１抽出部
１１１      第２抽出部
１１２      合焦位置検出部
１１３      フォーカスレンズ制御部
１１４      計算記憶部
１１５      フォーカスレンズ駆動部
【図１】
2009069739.tif 000003
【図２】
2009069739.tif 000004
【図３】
2009069739.tif 000005
【図４】
2009069739.tif 000006
【図５】
2009069739.tif 000007